(57)【要約】【課題】立体的に見える画像を生成する収納ケースを提供すること。【解決手段】収納ケース１は、上面が開口する本体部１０、及び本体部１０に着脱可能に取り付けられて開口を塞ぐ蓋部２０を備え、蓋部２０は、透光性を有する板状の部材であり、リトフェイン造形が施されていることを特徴とする。リトフェイン造形が施された透光性を有する板状の部材を本体部１０の開口を塞ぐ着脱可能な蓋部２０として収納ケース１を構成していることで、本体部１０にものを収納するケースとして使用できるとともに、蓋部２０を本体部１０から外して裏側から投光することでリトフェイン造形により施された凹凸像に基づいて立体的画像を生成する装飾物として利用することができる。【選択図】図６
0003216653.tif 000002
【実用新案登録請求の範囲】
【請求項１】
上面が開口する本体部と、
前記本体部に着脱可能に取り付けられて前記開口を塞ぐ蓋部とを備え、
前記蓋部は、透光性を有する板状の部材であり、リトフェイン造形が施されていることを特徴とする、収納ケース。
【請求項２】
前記蓋部は、前記本体部に磁着することを特徴とする、請求項１に記載の収納ケース。
【請求項３】
前記本体部と前記蓋部との間に配される板状の発光体をさらに備える、請求項２に記載の収納ケース。
【請求項４】
前記蓋部は、２以上の色で着色されていることを特徴とする、請求項１〜３のいずれか１項に記載の収納ケース。
【考案の詳細な説明】
【技術分野】
【０００１】
本考案は、リトフェイン造形が施された蓋部を備える収納ケースに関する。
【背景技術】
【０００２】
光源を内蔵し、投光して装飾を浮かび上がらせる器具、装置等が提供されている。例えば、特許文献１には、光源、光源からの光を導く導光体、その光により投光される表示素子、表示素子と導光体とを収容するケース体、表示素子の周囲に位置する指標部、指標部を指示する指針を備えた計器装置であり、導光体を介して指標部及び表示素子を投光することで、部品が削減されるとともに立体目盛を用いたデザイン性に富んだ計器装置が開示されている。
【０００３】
ここで、よりデザイン性に富んだ装飾を施すために、リトフェイン造形を利用することが考えられる。ここで、リトフェイン造形とは、透光性を有する素材を加工して、画像の濃淡を厚さに変換して表した凹凸像を造形することで、裏側から投光して表側に立体的に見える画像を生成する造形技術である。
【先行技術文献】
【特許文献】
【０００４】
【特許文献１】特開２００９−２８１８５９号公報
【非特許文献】
【０００５】
【非特許文献１】リトフェイン（http://bs01.3dprinterwiki.com/index.php?title=%E3%83%AA%E3%83%88%E3%83%95%E3%82%A7%E3%82%A4%E3%83%B3
【考案の概要】
【考案が解決しようとする課題】
【０００６】
本考案は、立体的に見える画像を生成する収納ケースを提供することを課題とする。
【課題を解決するための手段】
【０００７】
本考案の収納ケースは、
上面が開口する本体部と、
前記本体部に着脱可能に取り付けられて前記開口を塞ぐ蓋部とを備え、
前記蓋部は、透光性を有する板状の部材であり、リトフェイン造形が施されていることを特徴とする。
【０００８】
これによれば、リトフェイン造形が施された透光性を有する板状の部材を本体部の開口を塞ぐ着脱可能な蓋部として収納ケースを構成していることで、本体部にものを収納するケースとして使用できるとともに、蓋部を本体部から外して裏側から投光することでリトフェイン造形により立体的に見える画像（以下「立体的画像」と言う。）を生成する装飾物として利用することができる。
【０００９】
ここで「透光性を有する」とは、完全に透明ではなく、遮光性をも有することを言う（以下同じ）。画像の濃淡に合わせた透光度となるように厚さを調整したリトフェイン造形が可能である。（例えば単位厚さ当たりの遮光度をｒとし、画像の濃度をｄ（０≦ｄ≦１）とし、厚さｔをｔ＝log（１−ｒ）／log（１−ｄ）とする。）
【００１０】
本考案の収納ケースは、
前記蓋部は、前記本体部に磁着することを特徴とする。
【００１１】
これによれば、本体部から蓋部を外して、蓋部に投光してリトフェイン造形による立体的画像を生成することができる。
【００１２】
本考案の収納ケースは、
前記本体部と前記蓋部との間に配される板状の発光体をさらに備えることを特徴とする。
【００１３】
これによれば、本体部から蓋部を外さずとも、発光体が発する光により立体的画像を生成することができる。
【００１４】
本考案の収納ケースは、
前記蓋部は、２以上の色で着色されていることを特徴とする。
【００１５】
これによれば、蓋部を裏側から投光することで立体的なカラー画像を生成することができる。
【考案の効果】
【００１６】
本考案によれば、立体的画像を生成する収納ケースを提供することができる。
【図面の簡単な説明】
【００１７】
【図１】図１は、本体部の構成を示す図である。
【図２】図２は、蓋部の構成を示す図である。
【図３】図３は、発光部の構成を示す図である。
【図４】図４は、収納ケースの組み立て状態を示す図である。
【図５】図５は、収納ケースの組み立て状態の実施例を示す図である。
【図６】図６は、収納ケースにおいて蓋部を投光した実施例を示す図である。
【図７】図７は、収納ケースの別の組み立て状態を示す図である。
【図８】図８は、収納ケースの製造方法のフローを示す図である。
【考案を実施するための形態】
【００１８】
以下、本考案の実施例について説明する。
【実施例１】
【００１９】
収納ケース１は、本体部１０、蓋部２０、及び発光部３０を備える。
【００２０】
図１に、本体部１０の構成を示す。ここで、図１（Ａ）及び（Ｂ）は、それぞれ、本体部１０の構成を上面から示す上面図及び図１（Ａ）における基準線ＢＢに関する断面図である。本体部１０は、上面が開口し、上側から内部空間１０ａに名刺等の収納物を収納する箱体であり、枠体１１及び底面１２を有する。これらの構成各部は、例えば熱硬化性樹脂又は熱可塑性樹脂を用いて３Ｄプリンタにより成形することができ、それぞれ独立の部材として成形し、接合してもよいし、一体的に成形してもよい。
【００２１】
枠体１１は、本体部１０の４つの側壁をなす矩形状の枠体であり、底面１２の外縁上に立設される。枠体１１の左右の側壁上面にそれぞれ磁石１３が、一方の磁極（一例としてＮ極とする）を上方に向け、その磁極面を側壁の上面と面一に露出して埋設されている。
【００２２】
底面１２は、本体部１０の底面をなす板状部材であり、中央に一例としてダンベル型の孔部１２ａが形成されている。孔部１２ａは、収納ケース１内に収納した収納物を本体部１０の裏側から手指を挿入して押し上げて取り出しやすくするためのものである。なお、孔部１２ａは、必ずしも設けなくともよく、その形状を任意に定めることができる。
【００２３】
図２に、蓋部２０の構成を示す。蓋部２０は、本体部１０に着脱可能に取り付けられて上面の開口を塞ぐ板状の部材である。蓋部２０は、板状部材２１及び磁石２３を有する。
【００２４】
板状部材２１は、透光性を有する板状の部材であり、一例として本体部１０と同様の素材を用いて３Ｄプリンタにより、本体部１０と同じ大きさの矩形状に成形される。板状部材２１は、造形部２０ａを含む。造形部２０ａは、蓋部２０の上面中央に位置する部分であり、リトフェイン造形により任意の画像の濃淡を厚さに変換してなる凹凸像が施されている。蓋部２０を本体部１０から外して裏側から投光することで、凹凸像に基づいて立体的画像が生成される。
【００２５】
なお、蓋部２０の造形部２０ａを２以上の色で着色してもよい。蓋部２０を裏側から投光することで立体的なカラー画像が生成される。この場合、着色によって透光度が変化するので、その分を補正した厚さの造形とすることが好ましい。
【００２６】
磁石２３は、蓋部２０を本体部１０に着脱可能に取り付けるための部材であり、蓋部２０の左右にそれぞれ、一方の磁極、すなわち本体部１０の枠体１１に埋設されて枠体１１上面上に露出する磁石１３の磁極と逆の磁極（本例ではＳ極）を下方に向け、その磁極面を底面と面一に露出して埋設されている。これにより、蓋部２０を本体部１０上に載置することにより蓋部２０の磁石２３が本体部１０の磁石１３に磁着する。なお、蓋部２０を本体部１０に磁着することができれば、例えば磁石２３に代えて鉄などの磁性体を蓋部２０に設けてもよい。
【００２７】
図３に、発光部３０の構成を示す。発光部３０は、蓋部２０を裏側から投光する発光体の一例であり、板状部材３１、光源３２、及び磁石３３を有する。
【００２８】
板状部材３１は、本体部１０と蓋部２０との間に配される透光性の板状の部材であり、一例として本体部１０及び蓋部２０と同様の素材を用いて３Ｄプリンタにより、本体部１０及び蓋部２０と同じ大きさの矩形状に成形される。ここで、板状部材３１の側面に光源３２に電力を供給するためのコネクタ３２ａ（例えばＵＳＢ端子）が設けられている。
【００２９】
光源３２は、板状部材３１内に埋設され、上面側に向けて光を発する光源（バックライト）である。なお、発光部３０の上面を発光面とする。光源３２として、例えば、２次元状に配列された複数のＬＥＤ、面発光する光源を採用することができる。光源３２は、コネクタ３２ａを介して外部電源から電力を受けることができる。
【００３０】
磁石３３は、発光部３０を本体部１０に着脱可能に取り付けるための部材であり、発光部３０の左右にそれぞれ、一方の磁極、すなわち本体部１０の枠体１１に埋設されて枠体１１上面上に露出する磁石１３の磁極と逆の磁極（本例ではＳ極）を下方に向け、その磁極面を底面と面一に露出し、他方の磁極、すなわち蓋部２０に埋設されてその底面上に露出する磁石２３の磁極と逆の磁極（本例ではＮ極）を上方に向け、その磁極面を上面と面一に露出して埋設されている。これにより、発光部３０をその発光面を上側に向けて本体部１０上に載置することにより発光部３０の磁石３３が本体部１０の磁石１３に磁着し、さらに蓋部２０を発光部３０上に載置することにより蓋部２０の磁石２３が発光部３０の磁石３３に磁着することで、発光部３０を介して蓋部２０を本体部１０に着脱可能に取り付けることができる。なお、蓋部２０を発光部３０を介して本体部１０に磁着することができれば、例えば発光部３０に磁石３３に代えて鉄などの磁性体を設けてもよい。
【００３１】
図４に、収納ケース１の組み立て状態を示す。蓋部２０を、造形部２０ａを上側に向け、本体部１０上に載置して開口を塞ぐ。このとき、蓋部２０の２つの磁石２３が本体部１０の２つの磁石１３にそれぞれ対向して、磁着する。なお、蓋部２０の磁石２３と本体部１０の磁石１３とは互いに異なる磁極面を露出しているため、蓋部２０を、造形部２０ａを上側に向けて本体部１０に取り付けることはできるが、造形部２０ａを下側に向けて本体部１０に取り付けることはできない。蓋部２０は、設計した向きに取り付けられる。
【００３２】
図５及び図６に、それぞれ、収納ケース１の組み立て状態の実施例及び蓋部２０を投光した実施例を示す。図５に示すように、本体部１０上に取り付けられた蓋部２０の上面中央に造形部２０ａの凹凸像を確認することができる。図６に示すように、蓋部２０を外し、裏側から投光することで、立体的画像が生成される。蓋部２０は、本体部１０に磁石１３、２３によって取り付けられており、本体部１０から取り外して任意の方向に向けた上で裏側から投光することができる。
【００３３】
図７に、収納ケース１の別の組み立て状態を示す。発光部３０を、発光面を上側に向け、本体部１０上に載置する。このとき、発光部３０の２つの磁石３３が本体部１０の２つの磁石１３にそれぞれ対向して、磁着する。さらに、蓋部２０を、造形部２０ａを上側に向け、発光部３０上に載置する。このとき、蓋部２０の２つの磁石２３が発光部３０の２つの磁石３３に対向して、磁着する。つまり、蓋部２０が、発光部３０を介して本体部１０に着脱可能に取り付けられる。なお、蓋部２０の磁石２３と本体部１０の磁石１３とは互いに異なる磁極面を露出しているため、発光部３０を、発光面を上側に向けて蓋部２０と本体部１０との間に配することができるが、発光面を下側に向けて配することはできない。
【００３４】
図７に示すように蓋部２０を発光部３０を介して本体部１０に取り付けた組み立て状態において、発光部３０の光源３２が発する光により蓋部２０を裏側から投光することで、蓋部２０を本体部１０から取り外すことなく、蓋部２０により本体部１０を塞いだ状態であっても、リトフェイン造形により造形部２０ａに施された凹凸像から、立体的画像（本例では人物像）を生成することができる。
【００３５】
以上詳細に説明したように、収納ケース１は、上面が開口する本体部１０、及び本体部１０に着脱可能に取り付けられて開口を塞ぐ蓋部２０を備え、蓋部２０は、透光性を有する板状の部材であり、リトフェイン造形が施されていることを特徴とする。リトフェイン造形が施された透光性を有する板状の部材を本体部１０の開口を塞ぐ着脱可能な蓋部２０として収納ケース１を構成していることで、本体部１０にものを収納するケースとして使用できるとともに、蓋部２０を本体部１０から外して裏側から投光することでリトフェイン造形により施された凹凸像に基づいて立体的画像を生成する装飾物として利用して楽しむことができる。
【００３６】
なお、収納ケース１は、一例として名刺を収納するケースを想定したが、これに限らず、抜歯した乳歯、へその緒、産毛等の任意のものを収納するよう構成してもよく、これに応じて孔部１２ａを本体部１０の底面１２に形成しなくてもよい。
【実施例２】
【００３７】
以下、収納ケース１の製造方法について説明する。
【００３８】
収納ケースの製造方法は、
上面が開口する本体部と、該本体部に着脱可能に取り付けられて開口を塞ぐ蓋部と、を備える収納ケースの製造方法であって、
蓋部に表す画像の濃淡と蓋部の素材の透光度とに基づいて蓋部の凹凸形状を定めるステップと、
凹凸形状に基づいて３Ｄプリンタにより蓋部を作成するステップとを含むことを特徴とする。
【００３９】
これによれば、リトフェイン造形により画像の濃淡を凹凸形状により収納ケースの本体部の開口を塞ぐ蓋部に表して、蓋部に裏側から投光することで立体的画像を生成する収納ケースを製造することができる。
【００４０】
収納ケースの製造方法は、
前記蓋部を作成するステップの後に、画像の色に基づいてＵＶプリンタにより蓋部に着色するステップをさらに含むことを特徴とする。
【００４１】
これによれば、蓋部を裏側から投光することで立体的なカラー画像を生成する収納ケースを製造することができる。
【００４２】
図８に、収納ケース１の製造方法のフローを示す。
【００４３】
ステップＳ１では、画像データを編集する。ユーザより提供される好みの画像をコンピュータに取り込んで、蓋部２０の造形部２０ａの大きさに合わせて拡大又は縮小する。必要に応じて、画像データをトリミングしてもよい。
【００４４】
ステップＳ２では、画像の濃淡を厚さに変換して蓋部２０の凹凸形状を決定する。コンピュータにより、ステップＳ１で編集した画像データを用いて、蓋部２０の素材の透光度に基づいて画像の濃淡を厚さに変換して造形部２０ａの凹凸分布を決定する。このとき、画像の濃い部分を厚く、淡い部分を薄く定める（正確には、リトフェイン造形となるように厚みを定める）。かかる計算は、非特許文献１に開示されたように、広く用いられているソフトウェアによって行うことができる。決定された凹凸形状は、例えばＣＡＤデータ等のフォーマットで記録する。
【００４５】
なお、造形部２０ａを着色する場合、画像の色データをデータに含んでもよい。この場合、着色によって透光度が変化するので、その分を補正した凹凸形状とすることが好ましい。
【００４６】
ステップＳ３では、本体部１０、蓋部２０、及び発光部３０を作成する。一例として３Ｄプリンタにより、磁石１３を除く本体部１０の枠体１１及び底面１２を作成する。なお、任意で底面１２に文字等を彫り込んでもよい。また、３Ｄプリンタにより、ステップＳ２で作成した造形部２０ａの凹凸形状（すなわち、凹凸分布）に基づいて磁石２３を除く蓋部２０の板状部材２１を作成する。蓋部２０を裏側から投光することで立体的画像を生成する収納ケース１を製造することができる。また、３Ｄプリンタにより、光源３２を内部に含んでモールド成形することで発光部３０を作成する。
【００４７】
ステップＳ４では、任意で、蓋部２０の造形部２０ａを着色する。一例として、ＵＶプリンタにより、ステップＳ２で決定された色データに基づいて２以上の色を用いて造形部２０ａを着色する。蓋部２０を裏側から投光することで立体的なカラー画像として生成する収納ケース１を製造することができる。
【００４８】
ステップＳ５では、後工程として、本体部１０の枠体１１、蓋部２０、及び発光部３０にそれぞれ磁石１３，２３，３３を埋設する。また、任意で蓋部２０のバリ取り、研磨を施してもよい。
【００４９】
ステップＳ６では、蓋部２０を、任意で発光部３０を介して、本体部１０上に載置して収納ケース１を組み立てる。
【００５０】
以上詳細に説明したように、収納ケース１の製造方法は、蓋部２０に表す画像の濃淡と蓋部２０の素材の透光度とに基づいて蓋部２０の凹凸形状を定めるステップ、及び凹凸形状に基づいて３Ｄプリンタにより蓋部２０を作成するステップを含む。リトフェイン造形により画像の濃淡を凹凸形状により収納ケース１の本体部１０の開口を塞ぐ蓋部２０に表して、蓋部２０を裏側から投光することで立体的画像を生成する収納ケースを製造することができる。
【産業上の利用可能性】
【００５１】
立体的画像を生成し、楽しむことのできる収納ケースである。多くの個人による利用が考えられる。
【符号の説明】
【００５２】
１      収納ケース
１０    本体部
１０ａ  内部空間
１１    枠体
１２    底面
１２ａ  孔部
１３    磁石
２０    蓋部
２０ａ  造形部
２１    板状部材
２３    磁石
３０    発光部
３１    板状部材
３２    光源
３２ａ  コネクタ
３３    磁石
【図１】
0003216653.tif 000003
【図２】
0003216653.tif 000004
【図３】
0003216653.tif 000005
【図４】
0003216653.tif 000006
【図５】
0003216653.tif 000007
【図６】
0003216653.tif 000008
【図７】
0003216653.tif 000009
【図８】
0003216653.tif 000010